(57)【要約】【課題】部屋の内装や季節感に応じた雰囲気に変更することをマッサージ機能を損なうことなく行う。【解決手段】背もたれ１内にマッサージ機構を配した椅子型のマッサージ機において、背もたれ１の前面で且つ幅方向中央部を除く他の外面全面に被せられる着せ替え用のカバー材６を備える。マッサージ機能において重要な面となる背もたれの前面で且つ幅方向中央部を除く部分に着せ替え用のカバー材６を被せる。【選択図】図１
2010075430.tif 000002
【特許請求の範囲】
【請求項１】
背もたれ内にマッサージ機構を配した椅子型のマッサージ機において、背もたれの前面で且つ幅方向中央部を除く他の外面全面に被せられる着せ替え用のカバー材を備えていることを特徴とするマッサージ機。
【請求項２】
上記カバー材は、背もたれの上端の両肩部と肘掛の上端及び前端とに係止される係止部を備えて、これら係止部によって取り付けられるものであることを特徴とする請求項１記載のマッサージ機。
【請求項３】
背もたれの前面に配設されるマッサージ時用のクッション材を備えているとともに、該クッション材に被せられる着脱自在な着せ替え用のカバー材を備えていることを特徴とする請求項１または２記載のマッサージ機。
【請求項４】
座部に配された座部クッション材と背もたれの前面に配設されるマッサージ時用のクッション材とを備えるとともに上記の両クッション材に対して着脱自在であり且つ両クッション材を一体的に被覆する着せ替え用のカバー材を備えていることを特徴とする請求項１または２記載のマッサージ機。
【請求項５】
座部に配された座部クッション材を備えているとともに、この座部クッション材に対して着脱自在な着せ替え用のカバー材を備えていることを特徴とする請求項１〜３のいずれか１項に記載のマッサージ機。
【請求項６】
背もたれの前面に配設される着脱自在な非マッサージ時用のクッション材を備えているとともに、該クッション材に被せられる着脱自在な着せ替え用のカバー材を備えていることを特徴とする請求項１〜５のいずれか１項に記載のマッサージ機。
【発明の詳細な説明】
【技術分野】
【０００１】
本発明は、マッサージ機、殊に椅子型のマッサージ機に関するものである。
【背景技術】
【０００２】
椅子の背もたれ部分にマッサージ機構を内蔵した椅子型のマッサージ機は従来から各種のものが提供されているが、この種のマッサージ機は、家庭内では他の家具類に対してその大きさや外装などの点から浮いた存在となってしまっている。
【０００３】
このために小型化を図ると同時に外装を他のソファ類と同様の素材のものとすることが検討されているが、他のソファ類であれば部屋の内装に応じた外装のものを選択購入することができるものの、マッサージ機で外装違いの商品展開を行うことは難しい。また、カバーを被せることで、部屋の内装や季節に応じた雰囲気に変更することも考えられるが、この種のカバーを被せると、マッサージ機本来のマッサージを行う場合、カバーがマッサージ機能を損なってしまうことになり、結局、カバーを外した状態でマッサージを行うことになる。
【特許文献１】特開２００８−０９２９７３号公報
【発明の開示】
【発明が解決しようとする課題】
【０００４】
本発明は上記の従来の問題点に鑑みて発明したものであって、部屋の内装や季節感に応じた雰囲気に変更することをマッサージ機能を損なうことなく行うことができるマッサージ機を提供することを課題とするものである。
【課題を解決するための手段】
【０００５】
上記課題を解決するために本発明に係るマッサージ機は、背もたれ内にマッサージ機構を配した椅子型のマッサージ機において、背もたれの前面で且つ幅方向中央部を除く他の外面全面に被せられる着せ替え用のカバー材を備えていることに特徴を有している。マッサージ機能において重要な面となる背もたれの前面で且つ幅方向中央部を除く部分に着せ替え用のカバー材を被せることができるようにしたものである。
【０００６】
上記カバー材は、背もたれの上端の両肩部と肘掛の上端及び前端とに係止される係止部を備えて、これら係止部によって取り付けられるものであることが着せ替えを容易に行うことができる点で好ましい。
【０００７】
背もたれの前面に配設されるマッサージ時用のクッション材を備えているとともに、該クッション材に被せられる着脱自在な着せ替え用のカバー材を備えていると、上記背もたれの前面で且つ幅方向中央部の部分も雰囲気を好みに応じて変更することができる。
【０００８】
座部に配された座部クッション材と背もたれの前面に配設されるマッサージ時用のクッション材とを備えるとともに上記の両クッション材に対して着脱自在であり且つ両クッション材を一体的に被覆する着せ替え用のカバー材を備えていても、上記背もたれの前面で且つ幅方向中央部の部分も雰囲気を好みに応じて変更することができる。
【０００９】
また、座部に配された座部クッション材を備えているとともに、この座部クッション材に対して着脱自在な着せ替え用のカバー材を備えたものとするのも好ましく、更には背もたれの前面に配設される着脱自在な非マッサージ時用のクッション材を備えているとともに、該クッション材に被せられる着脱自在な着せ替え用のカバー材を備えていてもよい。
【発明の効果】
【００１０】
本発明においては、着せ替え用のカバー材を被せることで部屋の内装に合わせたり、季節に応じて雰囲気のものとすることができるものであり、しかも該着せ替え用のカバー材は、背もたれの前面で且つ幅方向中央部は覆わないものであるために、背もたれ内に配したマッサージ機構が背もたれに持たれた使用者の背面をマッサージするマッサージ機能を損なうことがないものである。
【発明を実施するための最良の形態】
【００１１】
以下、本発明を添付図面に示す実施形態に基づいて説明すると、図１(a)はこの椅子型マッサージ機の外観を示すもので、背もたれ１と座部２と肘掛け３、引き出し収納自在となっている足載せ台４を有している該マッサージ機１は、その背もたれ１前面側に薄肉のクッション心材を内装するとともに座部２のクッション心材２０を前端側に内包するクッション材５（図２(a)参照）が配されたものであり、クッション材５の前に更に非マッサージ時用のクッション材７を配置することで、通常のソファとして利用し、マッサージを行うにあたっては、上記非マッサージ時用のクッション材７を外した状態とする。
【００１２】
上記クッション材５の背後に位置することになる背もたれ１内には、マッサージ機構（図示せず）が上下に移動自在に配設されており、該マッサージ機構における施療子は、背もたれ１の前面を覆っているカバー１０（図２(b)参照）と上記のマッサージ時用のクッション材５とを介して、背もたれ１にもたれた使用者の背面をマッサージする。
【００１３】
このマッサージ機において、その外装の雰囲気を変更したり、外装が汚れた時の外装の変更に際しては、図３に示すカバー材６を被せる。このカバー材６は、背もたれ１における前面で且つ幅方向中央部を除く他の部分全面と、肘掛け３部分とに被せられて、背もたれ１の上端の両肩部及び肘掛け３の上端及び前端とに係止することで取り付けられるものであり、図３(a)はこのカバー材６を被せた状態を示している。
【００１４】
また、上記クッション材５についても、図４に示すように、着せ替え用のカバー材５’を用意しており、該カバー材５’はもともとのクッション材５と入れ換えるとともに座部２のクッション心材２０を覆うことで着せ替えがなされる。なお、カバー材５，５’におけるクッション心材２０の内包部はファスナーによって開閉することができるように形成してある。
【００１５】
カバー材６の装着によって部屋の内装や季節等に応じた雰囲気のものとすることができるものであり、しかもカバー材６を被せても、マッサージ力が伝えられる部分である背もたれ１の前面で且つ幅方向中央部はカバー材６が覆わないために、マッサージ機能が損なわれることがない。また、カバー材６が覆わない背もたれ１前面の幅方向中央部は、前記カバー１０が露出したままとなるが、このマッサージ機では上記クッション材５が背もたれ１のカバー１０の露出部分を覆った状態でマッサージできるように構成しているために、カバー材５がカバー１０部分を覆わないことによる違和感は、クッション材５によってなくすことができるものであり、特にクッション材５もカバー材６に合わせたカバー材５’に着せ替えることによって、全体としての雰囲気を統一することができる。
【００１６】
また、ここで示したものにおいては、前記非マッサージ時用のクッション材７についても、図５に示すようにそのカバー材に代えてクッション心材７０に装着される着せ替え用のカバー材７’を用意しており、足載せ台４についてもやはりそのカバー材に代えて足載せ台本体４０に装着される着せ替え用のカバー材４’（図６参照）を用意していることから、図１(b)に示すように、更に全体としての雰囲気を統一することができるものとなっている。
【００１７】
なお、ここで示したクッション材５は、座部２のクッション心材２０を内包して座部２上面と背もたれ１前面とにわたる部分に配されるものとしているが、座部２のクッションはクッション材５から独立したものとし、背もたれ１前面のみを覆うクッション材５と座部２とを夫々別の着せ替え用カバー材で意匠を変更することができるようにしたものであってもよい。
【図面の簡単な説明】
【００１８】
【図１】(a)(b)は本発明の実施の形態の一例の着せ替え前と着せ替え後の斜視図である。
【図２】(a)は非マッサージ時用のクッション材を外した状態の斜視図、(b)は背もたれ前面を覆うマッサージ時用クッション材を外した状態の斜視図である。
【図３】(a)は同上の背もたれのための着せ替え用カバー材を装着した状態の斜視図、(b)は背もたれのための着せ替え用のカバー材の斜視図である。
【図４】(a)(b)は背もたれ前面に配されるマッサージ時用のクッション材の着せ替え用カバー材の斜視図である。
【図５】(a)(b)は背もたれ前面に配される非マッサージ時用のクッション材の着せ替え用カバー材の斜視図である。
【図６】(a)(b)は足載せ台の着せ替え用カバー材の斜視図である。図である。
【符号の説明】
【００１９】
１    背もたれ
２    座部
３    肘掛け
６    カバー材
【図１】
2010075430.tif 000003
【図２】
2010075430.tif 000004
【図３】
2010075430.tif 000005
【図４】
2010075430.tif 000006
【図５】
2010075430.tif 000007
【図６】
2010075430.tif 000008